(57)【要約】【課題】各家屋に個別に導入されているホームセキュリティシステムを連携させることで、周辺地域を含めてより高いセキュリティを維持する技術を提供することを課題とする。【解決手段】家屋１０Ａ，１０Ｂには、それぞれホームセキュリティシステム１１Ａ，１１Ｂが導入されている。システム１１Ａ，１１Ｂはそれぞれ通信回線１５Ａ，１５Ｂを介してセキュリティ会社２０の管理システム２１に接続されている。システム１１Ａは、侵入者を検知するなど異常を検知すると、管理システム２１とともにシステム１１Ｂにも異常通報を行う。システム１１Ｂは、システム１１Ａからの異常通報を受けると、セキュリティレベルを高く設定し、カメラ映像の記録を開始し、家屋１０Ｂの内外に警報を発する。【選択図】図１
2007257113.tif 000002
【特許請求の範囲】
【請求項１】
第１の家屋に導入されている第１ホームセキュリティシステムと、
第２の家屋に導入されている第２ホームセキュリティシステムと、
前記第１ホームセキュリティシステムおよび前記第２ホームセキュリティシステムと通信回線を介して接続され各家屋のセキュリティを管理する管理システムと、
を備え、
前記第１ホームセキュリティシステムは、
所定の状態を検出した場合、前記第２ホームセキュリティシステムに状態通知を行う通知手段、
を備えることを特徴とするホームセキュリティ連携システム。
【請求項２】
請求項１に記載のホームセキュリティ連携システムにおいて、
前記所定の状態は、
前記第１ホームセキュリティシステムが異常状態を検出した場合、
を含むことを特徴とするホームセキュリティ連携システム。
【請求項３】
請求項１に記載のホームセキュリティ連携システムにおいて、
前記所定の状態は、
前記第１ホームセキュリティシステムにおいて外出モードが設定された場合、
を含むことを特徴とするホームセキュリティ連携システム。
【請求項４】
請求項２または請求項３に記載のホームセキュリティ連携システムにおいて、
前記通知手段は、前記第１ホームセキュリティシステムと前記管理システムとを接続する通信回線および前記第２ホームセキュリティシステムと前記管理システムとを接続する通信回線を利用して前記第２ホームセキュリティシステムに状態通知を行うことを特徴とするホームセキュリティ連携システム。
【請求項５】
請求項２に記載のホームセキュリティ連携システムにおいて、さらに、
前記第１ホームセキュリティシステムと前記第２ホームセキュリティシステムとを接続する予備回線、
を備え、
前記第１ホームセキュリティシステムと前記管理システムとを接続する通信回線が切断された場合、前記通知手段は、前記予備回線を利用して前記第２ホームセキュリティシステムに状態通知を行うことを特徴とするホームセキュリティ連携システム。
【請求項６】
請求項２に記載のホームセキュリティ連携システムにおいて、
前記第１ホームセキュリティシステムと前記管理システムとを接続する通信回線が切断された場合、前記通知手段は、前記第２の家屋に対して光および／または音声を発することで状態を通知し、前記第２のホームセキュリティシステムは、カメラおよび／またはマイクを用いて前記光および／または音声を取得することで状態通知を受けることを特徴とするホームセキュリティ連携システム。
【請求項７】
請求項２に記載のセキュリティ連携システムにおいて、
前記第２ホームセキュリティシステムは、前記第１ホームセキュリティシステムから状態通知を受けると、前記第２の家屋に対するセキュリティレベルを状態通知を受けたときに設定されていたレベルより高く設定することを特徴とするホームセキュリティ連携システム。
【請求項８】
請求項２に記載のセキュリティ連携システムにおいて、
前記第２ホームセキュリティシステムは、前記第１ホームセキュリティシステムから状態通知を受けると前記第２ホームセキュリティシステムによって制御されている監視カメラが撮像する映像の記録を開始することを特徴とするホームセキュリティ連携システム。
【請求項９】
請求項２に記載のセキュリティ連携システムにおいて、
前記第２ホームセキュリティシステムは、前記第１ホームセキュリティシステムから状態通知を受けると前記第２の家屋の家屋内および／または周辺に対して警報を発することを特徴とするホームセキュリティ連携システム。
【請求項１０】
請求項５または請求項６に記載のセキュリティ連携システムにおいて、
前記第２ホームセキュリティシステムは、前記第１ホームセキュリティシステムから状態通知を受けると、前記第２ホームセキュリティシステムと前記管理システムとを接続する通信回線を利用して前記管理システムに対して警報通知を行うことを特徴とするホームセキュリティ連携システム。
【請求項１１】
請求項３に記載のセキュリティ連携システムにおいて、
前記第２ホームセキュリティシステムは、前記第１ホームセキュリティシステムから状態通知を受けると前記第２ホームセキュリティシステムが制御するカメラの撮像範囲内に前記第１の家屋が納まるよう制御することを特徴とするホームセキュリティ連携システム。
【発明の詳細な説明】
【技術分野】
【０００１】
本発明は、各家屋に導入されているホームセキュリティシステムをより有効に利用し、各家屋のみならず周辺地域のセキュリティを確保するための技術に関する。
【背景技術】
【０００２】
昨今、一般家屋に対するホームセキュリティシステムの導入が進んでいる。各家屋に設置されているホームセキュリティシステムは、セキュリティ会社と通信回線で接続されている。ホームセキュリティシステムは、家屋に侵入者がいることを検知したり、火災などの異常状態が発生していることを検知したりすると、通信回線を利用してセキュリティ会社の管理システムに異常通知を行うのである。セキュリティ会社は異常通知を受けると、警備員の配備などを行う。
【０００３】
【特許文献１】実用新案登録第３１０５３３１号公報
【発明の開示】
【発明が解決しようとする課題】
【０００４】
上述したように、ホームセキュリティシステムは、家屋への侵入者を検知することや災害の発生を検知することで、被害を未然に食い止めることや、被害を最小限に抑えるための役割を果たしている。ところで、ある家屋に侵入者が入った場合や災害が発生した場合には、周辺家屋にも被害が及ぶ可能性がある。しかし、従来のホームセキュリティシステムは導入されている家屋内のセキュリティを維持することを目的としており、周辺家屋に対するセキュリティの維持までは考慮されていないのが実情である。
【０００５】
上記特許文献１は、ホームセキュリティシステムと防災行政無線システムとを連携させたシステムに関するものである。ホームセキュリティシステムは、異常を検知するとセンターシステムに異常通知を行う。そして、センターシステムにおいて音声通報メッセージを作成し、その音声を防災行政無線システムを利用して周辺地域に放送するようにしている。
【０００６】
侵入者により各家屋とセキュリティ会社間を接続している通信回線が切断されるという事例もある。侵入者によって通信回線が切断された場合、ホームセキュリティシステムによるセキュリティ会社への異常通知が行われない。通信回線が切断されたことを検知することも不可能ではないが、検知するまでに時間が掛かるため、被害を食い止めることが難しい。通信回線の切断を検知し、原因を調査し、その上で警備員が現場に急行するというプロセスを踏んでいるのでは、被害を拡大させることになる。
【０００７】
上記特許文献１のシステムを利用することで異常の発生を近隣住民にも伝えることが可能である。しかし、上記のようにホームセキュリティシステムとセキュリティ会社を接続する通信回線が切断された場合には、システムが動作しないことになる。また、防災行政無線システムのような設備が整っていることも前提となっている。
【０００８】
そこで、本発明は前記問題点に鑑み、各家屋に個別に導入されているホームセキュリティシステムを連携させることで、周辺地域を含めてより高いセキュリティを維持する技術を提供することを目的とする。
【課題を解決するための手段】
【０００９】
上記課題を解決するため、請求項１記載の発明は、第１の家屋に導入されている第１ホームセキュリティシステムと、第２の家屋に導入されている第２ホームセキュリティシステムと、前記第１ホームセキュリティシステムおよび前記第２ホームセキュリティシステムと通信回線を介して接続され各家屋のセキュリティを管理する管理システムと、を備え、前記第１ホームセキュリティシステムは、所定の状態を検出した場合、前記第２ホームセキュリティシステムに状態通知を行う通知手段、を備えることを特徴とする。
【００１０】
請求項２記載の発明は、請求項１に記載のホームセキュリティ連携システムにおいて、前記所定の状態は、前記第１ホームセキュリティシステムが異常状態を検出した場合、を含むことを特徴とする。
【００１１】
請求項３記載の発明は、請求項１に記載のホームセキュリティ連携システムにおいて、前記所定の状態は、前記第１ホームセキュリティシステムにおいて外出モードが設定された場合、を含むことを特徴とする。
【００１２】
請求項４記載の発明は、請求項２または請求項３に記載のホームセキュリティ連携システムにおいて、前記通知手段は、前記第１ホームセキュリティシステムと前記管理システムとを接続する通信回線および前記第２ホームセキュリティシステムと前記管理システムとを接続する通信回線を利用して前記第２ホームセキュリティシステムに状態通知を行うことを特徴とする。
【００１３】
請求項５記載の発明は、請求項２に記載のホームセキュリティ連携システムにおいて、さらに、前記第１ホームセキュリティシステムと前記第２ホームセキュリティシステムとを接続する予備回線、を備え、前記第１ホームセキュリティシステムと前記管理システムとを接続する通信回線が切断された場合、前記通知手段は、前記予備回線を利用して前記第２ホームセキュリティシステムに状態通知を行うことを特徴とする。
【００１４】
請求項６記載の発明は、請求項２に記載のホームセキュリティ連携システムにおいて、前記第１ホームセキュリティシステムと前記管理システムとを接続する通信回線が切断された場合、前記通知手段は、前記第２の家屋に対して光および／または音声を発することで状態を通知し、前記第２のホームセキュリティシステムは、カメラおよび／またはマイクを用いて前記光および／または音声を取得することで状態通知を受けることを特徴とする。
【００１５】
請求項７記載の発明は、請求項２に記載のセキュリティ連携システムにおいて、前記第２ホームセキュリティシステムは、前記第１ホームセキュリティシステムから状態通知を受けると、前記第２の家屋に対するセキュリティレベルを状態通知を受けたときに設定されていたレベルより高く設定することを特徴とする。
【００１６】
請求項８記載の発明は、請求項２に記載のセキュリティ連携システムにおいて、前記第２ホームセキュリティシステムは、前記第１ホームセキュリティシステムから状態通知を受けると前記第２ホームセキュリティシステムによって制御されている監視カメラが撮像する映像の記録を開始することを特徴とする。
【００１７】
請求項９記載の発明は、請求項２に記載のセキュリティ連携システムにおいて、前記第２ホームセキュリティシステムは、前記第１ホームセキュリティシステムから状態通知を受けると前記第２の家屋の家屋内および／または周辺に対して警報を発することを特徴とする。
【００１８】
請求項１０記載の発明は、請求項５または請求項６に記載のセキュリティ連携システムにおいて、前記第２ホームセキュリティシステムは、前記第１ホームセキュリティシステムから状態通知を受けると、前記第２ホームセキュリティシステムと前記管理システムとを接続する通信回線を利用して前記管理システムに対して警報通知を行うことを特徴とする。
【００１９】
請求項１１記載の発明は、請求項３に記載のセキュリティ連携システムにおいて、前記第２ホームセキュリティシステムは、前記第１ホームセキュリティシステムから状態通知を受けると前記第２ホームセキュリティシステムが制御するカメラの撮像範囲内に前記第１の家屋が納まるよう制御することを特徴とする。
【発明の効果】
【００２０】
本発明のシステムは、第１ホームセキュリティシステムが所定の状態を検出した場合、第２ホームセキュリティシステムに状態通知を行う。これまで、個別の独立した動作しか行わなかったホームセキュリティシステムが協働することになり、地域のセキュリティ向上に貢献することが可能である。
【００２１】
また、第１ホームセキュリティシステムは異常状態を検出した場合に第２ホームセキュリティシステムに状態通知を行う。これにより、侵入者が発生したり火災が発生したりした場合に、被害が近隣地域に拡大することを未然に防止し、あるいは被害を最小限に留めることに貢献する。
【００２２】
また、第１ホームセキュリティシステムにおいて外出モードが設定された場合に第２ホームセキュリティシステムに状態通知を行う。したがって、警戒が必要な不在時に、自宅のシステムのみならず、近隣の家屋のシステムによっても監視することが可能である。
【００２３】
また、第１ホームセキュリティシステムと第２ホームセキュリティシステムとを接続する予備回線を備え、第１ホームセキュリティシステムと管理システムとを接続する通信回線が切断された場合、予備回線を利用して第２ホームセキュリティシステムに状態通知を行う。これにより、たとえば、侵入者によってセンタとの回線が切断されたような場合にも、近隣家屋に注意を喚起することが可能である。
【００２４】
さらに、第２ホームセキュリティシステムは予備回線を介して第１ホームセキュリティシステムから状態通知を受けると、第２ホームセキュリティシステムと管理システムとを接続する通信回線を利用して管理システムに対して警報通知を行う。これにより、回線が接続された場合にも、遅延なく管理システムに通報することが可能である。
【発明を実施するための最良の形態】
【００２５】
｛第１の実施の形態｝
以下、図面を参照しつつ本発明の実施の形態について説明する。図１は、第１の実施の形態に係るホームセキュリティ連携システムの全体図である。家屋１０Ａ、家屋１０Ｂには、それぞれホームセキュリティシステム１１Ａ、ホームセキュリティシステム１１Ｂが導入されている。家屋１０Ａ，１０Ｂは一戸建てであってもよいし、マンションなどの集合住宅であってもよい。ホームセキュリティシステム１１Ａ，１１Ｂは、それぞれ各種のセンサを備え、侵入者の検知や異常状態を検知することが可能である。このホームセキュリティシステム１１Ａ，１１Ｂは、セキュリティ会社２０によって提供およびサポートされているセキュリティシステムである。したがって、システム１１Ａ，１１Ｂは、それぞれ通信回線１５Ａ，１５Ｂを介してセキュリティ会社２０の管理システム２１に接続されている。以下、適宜ホームセキュリティシステム１１Ａ，１１Ｂを単にシステム１１Ａ，１１Ｂと略して記載する。
【００２６】
図２は、ホームセキュリティシステム１１Ａ，１１Ｂのブロック図である。なお、ホームセキュリティシステム１１Ａ，１１Ｂの構成、機能は同様であるので、共通の図面を用いて説明する。ホームセキュリティシステム１１Ａ，１１Ｂは、それぞれコントローラ１１１Ａ，１１１Ｂを備えている。コントローラ１１１Ａ，１１１Ｂは、それぞれシステム１１Ａ，１１Ｂを制御し、また、管理システム２１との間で情報の送受信を行う。
【００２７】
システム１１Ａ，１１Ｂは、それぞれセンサ１１２Ａ，１１２Ｂを備えている。たとえば、センサ１１２Ａ，１１２Ｂは、侵入者を検知するため玄関、窓などに取り付けられたドアセンサや窓開閉検知センサなどであり、あるいは室内に設置された人体検知センサなどである。あるいは、センサ１１２Ａ，１１２Ｂは、室内に設置された火災検知器、ガス漏れ検知器などである。火災検知器としては温度センサや煙検知センサなどが利用される。
【００２８】
システム１１Ａ，１１Ｂは、それぞれ警報部１１３Ａ，１１３Ｂを備えている。警報部１１３Ａ，１１３Ｂは、音声あるいは光を利用して家屋１０Ａ，１０Ｂ内に警報を発する装置である。たとえばスピーカより緊急事態を告げるメッセージやサイレンが鳴動する。
【００２９】
また、システム１１Ａ，１１Ｂは、それぞれカメラ１１４Ａ，１１４Ｂを備えている。カメラ１１４Ａ，１１４Ｂは、家屋１０Ａ，１０Ｂの外壁などに取り付けられており、家屋１０Ａ，１０Ｂの周辺映像を撮像する。また、家屋１０Ａ，１０Ｂの外壁などにはスピーカ１１５Ａ，１１５Ｂおよび発光装置１１６Ａ，１１６Ｂが取り付けられている。スピーカ１１５Ａ，１１５Ｂは、家屋１０Ａ，１０Ｂの周辺に異常状態を音声で通知する用途に用いられる。また、発光装置１１６Ａ，１１６Ｂは、たとえば可視光ランプであり、家屋１０Ａ，１０Ｂの周辺に異常状態を通知する用途で用いられる。また、発光装置１１６Ａ，１１６Ｂが人体検知センサを備えることにより、夜間家屋１０Ａ，１０Ｂに人が近づくと自動点灯させるようにし、犯罪の未然防止に役立てられる。あるいは発光装置１１６Ａ，１１６Ｂは、赤外線ＬＥＤであり、カメラ１１４Ａ，１１４Ｂによる夜間の映像撮影用に用いられる。もちろん、可視光ランプと赤外線ＬＥＤの両方を取り付けるようにしてもよい。
【００３０】
このようなホームセキュリティシステム１１Ａ，１１Ｂは、それぞれ通信回線１５Ａ，１５Ｂを介してセキュリティ会社２０の管理システム２１に接続されている。通信回線１５Ａ，１５Ｂは、ホームセキュリティシステム用の専用回線であってもよいし、電話回線を利用してもよい。あるいは、インターネットなどのインフラを利用してもよい。
【００３１】
ホームセキュリティシステム１１Ａ，１１Ｂは、侵入者を検知したり、火災を検知したりするなど異常状態を検知すると、この通信回線１５Ａ，１５Ｂを介して管理システム２１に異常通知を行うのである。セキュリティ会社２０は、管理システム２１によって家屋１０Ａや家屋１０Ｂに異常状態が発生していることを知ると、近辺にいる警備員を即座に現場に急行させるのである。このようにして、災害時等の被害を未然に防ぎ、あるいは被害を最小限に抑えるようにしている。
【００３２】
そして、本実施の形態のホームセキュリティシステム１１Ａ，１１Ｂは、異常状態を検知した場合に、近隣住民に対するセキュリティも維持する仕組みを備えている。図１に示す家屋１０Ａおよび家屋１０Ｂは隣近所に位置している。そして、図に示すように家屋１０Ａに侵入者が入ったり、火災が発生したりするなどしてホームセキュリティシステム１１Ａが異常状態を検知すると、システム１１Ａは、管理システム２１に対する異常通報を行うとともに、ホームセキュリティシステム１１Ｂに対しても異常通報を行うのである。
【００３３】
ホームセキュリティシステム１１Ａから送信された異常通報は、通信回線１５Ａおよび通信回線１５Ｂを介してホームセキュリティシステム１１Ｂに通知されるのである。あるいは、ホームセキュリティシステム１１Ａが管理システム２１に異常通報を行うと、管理システム２１が受信した異常通報をホームセキュリティシステム１１Ｂに中継するという方法であってもよい。
【００３４】
このようにホームセキュリティシステム同士が連携をとるために予め連携を取り合うシステムを登録しておくようにすればよい。たとえば、同じ町内にある家屋間で、互いのホームセキュリティシステムを連携システムとして登録しておいてもよいし、同じマンション内の家屋間で連携システムに登録しておいてもよい。あるいは、より信頼のおける近所の知人宅同士で連携システムに登録しておいてもよい。たとえば、上記の例であれば、ホームセキュリティシステム１１Ａは、連携システムとしてホームセキュリティシステム１１Ｂが登録されているので、システム１１Ａは異常状態をシステム１１Ｂに送信するのである。あるいは、管理システム２１が連携関係を全て一元管理しておき、各システムから送信されてきた異常通報を登録された連係情報に基づいて配信するような方法であってもよい。
【００３５】
ホームセキュリティシステム１１Ａから異常通報を受信したホームセキュリティシステム１１Ｂは、家屋１０Ｂ内あるいは家屋１０Ｂの周辺のセキュリティを維持するために次のような動作を行う。
【００３６】
まず、ホームセキュリティシステム１１Ｂは、現在動作しているセキュリティのレベルを現在よりも高くなるよう設定変更する。たとえば、ホームセキュリティシステム１１Ｂが、次のような（１）〜（３）のセキュリティレベルが設定可能であるとする。
【００３７】
（１）在宅モード
（２）就寝モード
（３）外出モード（留守モード）
セキュリティレベルは、（１）在宅モードより（２）就寝モードが高く、（２）就寝モードより（３）外出モードが高い。（１）在宅モードは、住人が家屋内にいる昼間などに設定するモードである。一般には、ドアセンサや窓開閉センサはＯＦＦになっている。（２）就寝モードは、住人が家屋内にいる夜間に設定するモードであり、一般には侵入経路のみを監視するよう設定される。夜間に不審者が侵入することを検知するため、ドアセンサや窓開閉センサなどがＯＮとされる場合が多い。（３）外出モードは、住人が外出中に設定するモードであり、最もセキュリティレベルが高く設定されるモードである。たとえば、ドアセンサや窓開閉センサはＯＮにされ、さらに、室内の人体検知センサなどもＯＮに設定される。
【００３８】
たとえば、図１に示すように、ホームセキュリティシステム１１Ａより異常通報を受けたホームセキュリティシステム１１Ｂが在宅モードに設定されていたとする。この場合、通常の在宅モードよりも設定レベルを上げ、就寝モードに近いセキュリティレベルに変更するのである。あるいは、システム１１Ｂが就寝モードで動作していたのならば、外出モードに近いようなセキュリティレベルに変更する。
【００３９】
たとえば、在宅モードでは、窓のセンサをＯＦＦとしているが、システム１１Ａが異常通報を受けたときから窓のセンサをＯＮにするという制御が考えられる。システム１１Ａが侵入者を検知しているのであれば、不審者が近辺にいる可能性もあるため有効な措置である。あるいは、カメラ１１４Ｂで撮影する映像のレートを高くするなどの設定を行っても良い。
【００４０】
また、ホームセキュリティシステム１１Ｂは、システム１１Ａからの異常通報を受けた時点から、カメラ１１４Ｂが撮影した映像の記録装置への記録を開始する制御を行う。あるいは、既に記録を実行している場合には、記録を継続するよう制御する。記録装置はカメラ１１４Ｂが内蔵していてもよいし、コントローラ１１１Ｂが内蔵していてもよい。このとき、カメラ１１４Ｂがメモリ上に過去所定時間分の映像を蓄積している場合には、プレ録画を実行してもよい。たとえばカメラ１１４Ｂが過去３０秒の映像をメモリに蓄積しているのであれば、３０秒遡った時間から映像の記録を開始するのである。これにより、家屋１０Ｂに対しても異常状態が発生することを事前に警戒させ、証拠映像の記録が行われるようにできる。あるいは、システム１１Ｂは、カメラ１１４Ｂのパンチ・チルト・ズームなどを制御し、家屋１０Ａ付近の映像を撮影するよう制御してもよい。
【００４１】
また、ホームセキュリティシステム１１Ｂは、システム１１Ａからの異常通報を受けると、警報部１１３Ｂにより家屋１０Ｂ内に警報を行い、家屋１０Ｂ内の住民に注意を喚起する。警報の方法としては、サイレンやブザーを鳴動させてもよいし、ランプやＬＥＤなどを発光させてもよい。
【００４２】
また、システム１１Ｂは、家屋１０Ｂ内だけでなく、家屋１０Ｂの外側に設置されているスピーカ１１５Ｂから警告音を発生させ、あるいは発光装置１１６Ｂから可視光を発光させる。これにより、家屋１０Ｂ内にいる住民だけでなく、付近を歩行している人に対しても注意を喚起することができる。
【００４３】
このように本実施の形態におけるシステムを利用することで、周辺地域、家屋を含めてセキュリティを確保することが可能である。従来、近隣の家屋に侵入者が入った場合であっても、各ホームセキュリティシステムが連携していないため、近隣の家屋に二次被害が発生する恐れがあったが、本実施の形態のシステムを利用することで、近隣家屋に対しても早急に注意を喚起することが可能である。
【００４４】
｛第２の実施の形態｝
図３は、第２の実施の形態に係るホームセキュリティ連携システムの全体図である。各ホームセキュリティシステム１１Ａ，１１Ｂの構成などは第１の実施の形態と同様であるので、説明を省略する。
【００４５】
第１の実施の形態においては、ホームセキュリティシステム１１Ａが異常状態を検知した場合に、通信回線１５Ａ，１５Ｂを介してシステム１１Ｂに異常通報を行うようにした。第２の実施の形態においては、ホームセキュリティシステム１１Ａは、外出モードに設定された時点でシステム１１Ｂに対してモード情報を送信するのである。
【００４６】
図３に示すように、家屋１０Ａの住人がホームセキュリティシステム１１Ａのセキュリティレベルを外出モードに設定して外出したとする。つまり、家屋１０Ａは留守宅となるので、セキュリティレベルは最も高いモードに設定される。
【００４７】
このような状態で、ホームセキュリティシステム１１Ａは、システム１１Ｂに対してモード情報を送信するのである。つまり、家屋１０Ａが外出モードに設定されたという情報を通知するのである。
【００４８】
ホームセキュリティシステム１１Ｂは、システム１１Ａからモード情報を受信すると、家屋１０Ｂの外部に設置されているカメラ１１４Ｂの撮像範囲に家屋１０Ａが収まるように制御するのである。つまり、カメラ１１４Ｂのパン、チルト、ズーム制御などを行い、家屋１０Ａが撮像範囲に収まるように制御するのである。これにより、家屋１０Ａでは、留守の間、ホームセキュリティシステム１１Ａにより最もレベルの高いセキュリティが掛けられるとともに、隣近所のホームセキュリティシステム１１Ｂによっても、侵入者の監視が行われるのである。
【００４９】
もし、この状態で実際に家屋１０Ａに侵入者が入ったとする。この場合には、第１の実施の形態の方法により、システム１１Ｂに異常通報が送信される。そこで、システム１１Ｂが、家屋１０Ａを撮影しているカメラ１１４Ｂの映像を記録装置に記録すれば、非常に有効な映像を証拠として残すことが可能である。このような仕組みが存在することで、犯罪自体の発生を抑制することにも役立てられる。
【００５０】
なお、この実施の形態においては、家屋１０Ａで発生した異常を、家屋１０Ｂに通知する場合を例に説明した。もし、ホームセキュリティシステム１１Ａが連携するシステムとして近隣の複数のシステムを登録している場合には、家屋１０Ａで発生した異常が、それら複数の家屋のシステムに通知されることになる。
【００５１】
｛第３の実施の形態｝
次に、本発明の第３の実施の形態について説明する。各ホームセキュリティシステム１１Ａ，１１Ｂの構成などは第１の実施の形態と同様であるので、説明を省略する。第３の実施の形態においては、図４に示すように、ホームセキュリティシステム１１Ａとホームセキュリティシステム１１Ｂとを接続する予備回線１６が設けられている。なお、予備回線１６は、有線回線であってもよいし、無線回線を利用してもよい。
【００５２】
侵入者が家屋１０Ａに侵入する前に通信回線１５Ａを切断したとする。この場合、ホームセキュリティシステム１１Ａは、管理システム２１に対して異常通報を行うことができなくなる。そこで、通信回線１５Ａが切断された場合、ホームセキュリティシステム１１Ａは、予備回線１６を利用してホームセキュリティシステム１１Ｂに対して異常通報を行うのである。
【００５３】
予備回線１６を介して異常通報を受けたシステム１１Ｂの動作は第１の実施の形態と同様である。つまり、システム１１Ｂは、セキュリティレベルを上げ、警戒モードに移行する。また、カメラ１１４Ｂの撮影映像の記録を開始し、家屋１０Ｂの内外に警報を発するのである。このようにして、侵入者によって管理システム２１との間の通信回線１５Ａが切断された場合にも、近隣家屋に対して注意を喚起することが可能である。
【００５４】
さらに、本実施の形態においては、ホームセキュリティシステム１１Ｂが代理通報を行う。つまり、システム１１Ａは管理システム２１との通信が不可能となったため、予備回線１６を利用してシステム１１Ｂに異常通報を行っている。そこで、この異常通報を受け取ったシステム１１Ｂは、システム１１Ａに代わって管理システム２１に異常通報を行うのである。
【００５５】
これにより、システム１１Ａと管理システム２１間の回線が切断された場合であっても、略リアルタイムでシステム１１Ｂにより管理システム２１に異常通報を行うことが可能である。したがって、セキュリティ会社２０では、即座に警備員を配備することが可能であり、被害の拡大の防止と、近隣住民へのセキュリティを確保することが可能である。また、予備回線１６として上述したように無線回線を利用しておけば、予備回線１６に対する切断が困難となるので有効である。
【００５６】
なお、この実施の形態において、侵入者が回線を切断した場合を例に説明したが、火災などの災害が発生し、回線が切断された場合、あるいは別の理由で回線が切断されていた場合などにおいても同様に本発明を適用可能である。また、通信回線１５Ａが切断されていない場合においても、予備回線１６を利用して異常通知を行うようにしてもよい。あるいは、第２の実施の形態で説明したモード情報を予備回線１６を利用して通知するようにしてもよい。
【００５７】
また、システム１１Ａは、通信回線１１Ａが切断された場合、インターネットなどの別の回線を利用して親戚宅１０Ｒに異常通報を行うようにしてもよい。たとえば、家屋１０Ａが管理システム２１とは電話回線で接続されており、インターネットには、その他の回線（光ファイバ等）で接続されている場合には、その回線を利用して予め登録された知人などに通報するようにしてもよい。たとえば、少し離れた近所に住んでいる独居老人の家屋のホームセキュリティシステムに異常通報を行うようにし、この場合は、在宅時であっても、セキュリティを高く設定するなどの制御が考えられる。
【００５８】
｛第４の実施の形態｝
図５は、第４の実施の形態に係る連携システムを示す図である。第４の実施の形態は、第３の実施の形態を拡張したシステムである。
【００５９】
家屋１０Ａに侵入者が入り、さらに侵入者によって通信回線１５Ａが切断されている。第３の実施の形態と同様、システム１１Ａは、予備回線１６を利用してシステム１１Ｂに異常通報を行う。ここで、システム１１Ｂが外出モードに設定されているとする。つまり、家屋１０Ｂの住人も外出している。この場合には、システム１１Ｂは、さらに、家屋１０Ｃのホームセキュリティシステム１１Ｃに対して、予備回線１７を利用して異常通報を行うのである。システム１１Ｃも、通信回線１５Ｃを介して管理システム２１に接続されている。
【００６０】
たとえば、システム１１Ａが異常発生時の通報先として家屋１０Ｂを登録していたとする。しかし、家屋１０Ｂの住人が不在であれば、周辺地域が異常状態を認識するまでの時間を要することになる。そこで、さらに異常通報を転送し、在宅モードとなっている（あるいは就寝モードでもよいが）家屋に対して注意を喚起するのである。システム１１Ｃでは、第１の実施の形態と同様、セキュリティレベルの設定が高く変更され、カメラ映像が記録され、家屋１０Ｃの内外に警報を発する。
【００６１】
なお、管理システム２１に対する代理通報はシステム１１Ｂが行っても良いし、システム１１Ｃが行っても良い。もちろん、第３の実施の形態において、あらかじめ各システムが複数のシステムと予備回線で接続され、それら複数のシステムと連携されることが登録されていれば、異常が発生した時点で一斉に複数のシステムに異常通報が行われる。これに対して第４の実施の形態は、異常通報を行う近隣宅システムが登録されているが、その近隣宅が不在の場合に、さらに別のシステムに異常通報を転送するのである。このため、不在時の転送先システムを別に登録しておくようにしてもよい。
【００６２】
｛第５の実施の形態｝
次に、本発明の第５の実施の形態について説明する。図６は、第５の実施の形態に係る連携システムを示す図である。この実施の形態も、侵入者によって通信回線１５Ａが切断された場合に対応するものである。ただし、システム１１Ａとシステム１１Ｂとの間に、予備回線１６は備えられていない。
【００６３】
システム１１Ａは、侵入者を検知したが、管理システム２１との通信が行えない場合、発光装置１１６Ａから、特殊なパターンの光を発光させる。この特殊パターンは異常通報用に予め決められているパターンである。発光装置１１６Ａは、可視光ランプであってもよいし、赤外ＬＥＤなどであってもよい。この光を家屋１０Ｂの外側に設置されているカメラ１１４Ｂで撮影するのである。システム１１Ｂのコントローラ１１１Ｂは、カメラ１１４Ｂから入力した映像を解析し、異常通報用のパターン光を検出した場合には、システム１１Ａが異常を検知していると判断するのである。これにより、予備回線１６が存在しない構成においても、システム１１Ａからシステム１１Ｂに対して異常通報を行うことが可能である。この後のシステム１１Ｂによる処理の内容は第１の実施の形態や第３の実施の形態と同様である。
【００６４】
また、システム１１Ａは、侵入者を検知したが、管理システム２１との通信が行えない場合、スピーカ１１５Ａから特殊なパターンの警報音を鳴動させるようにしてもよい。この場合、システム１１Ｂがさらにマイクを備え、コントローラ１１１Ｂがマイクから入力した音声から特殊パターンの音声を検出するようにしてもよい。そして、異常通報用のパターン音を検出した場合には、システム１１Ａが異常を検知していると判断するのである。
【００６５】
このように第５の実施の形態によれば、侵入者が管理システム２１との間の回線を切断した場合であっても、光や音を利用して近隣の存在するホームセキュリティシステムに異常を通知することが可能である。なお、この実施の形態において、侵入者が回線を切断した場合を例に説明したが、火災などの災害が発生し、回線が切断された場合、あるいは別の理由で回線が切断されていた場合などにおいても同様に本発明を適用可能である。
【図面の簡単な説明】
【００６６】
【図１】第１の実施の形態に係るホームセキュリティ連携システムの全体図である。
【図２】ホームセキュリティシステムのブロック図である。
【図３】第２の実施の形態に係るホームセキュリティ連携システムの全体図である。
【図４】第３の実施の形態に係るホームセキュリティ連携システムの全体図である。
【図５】第４の実施の形態に係るホームセキュリティ連携システムの全体図である。
【図６】第５の実施の形態に係るホームセキュリティ連携システムの全体図である。
【符号の説明】
【００６７】
１０Ａ，１０Ｂ    家屋
１１Ａ，１１Ｂ    ホームセキュリティシステム
１５Ａ，１５Ｂ    通信回線
１６，１７    予備回線
２０    セキュリティ会社
２１    管理システム
【図１】
2007257113.tif 000003
【図２】
2007257113.tif 000004
【図３】
2007257113.tif 000005
【図４】
2007257113.tif 000006
【図５】
2007257113.tif 000007
【図６】
2007257113.tif 000008